(57)【要約】【課題】ノートＰＣのような小型薄型の機器に搭載することができる小型薄型で、放熱性がよいラジエータを得る。【解決手段】平面状に展開された冷却液流路と、該冷却液流路の展開平面と平行な上下の放熱面と、上記冷却液流路を避け上記上下の放熱面に貫通させて形成した貫通空気孔とを有する流路ブロック；流路ブロックの上下の放熱面の一方の上に位置し、該一方の放熱面に対して傾斜した第一の設置基準面を有する、楔状をなす第一のスペーサ部；及び流路ブロックの上下の放熱面の他方の上に位置し、該他方の放熱面に対して上記第一の設置基準面とは反対方向に傾斜した第二の設置基準面を有する、第一のスペーサ部とは逆方向の楔状をなす第二のスペーサ部；を備え、該第一、第二のスペーサ部により、第一、第二の設置基準面を空間形成面に当接させた状態において流路ブロックの貫通空気孔に対する空気流を確保したラジエータ。【選択図】図６
2008051401.tif 000002
【特許請求の範囲】
【請求項１】
平面状に展開された冷却液流路と、該冷却液流路の展開平面と平行な上下の放熱面と、上記冷却液流路を避け上記上下の放熱面に貫通させて形成した貫通空気孔とを有する流路ブロック；
流路ブロックの上下の放熱面の一方の上に位置し、該一方の放熱面に対して傾斜した第一の設置基準面を有する、楔状をなす第一のスペーサ部；及び
流路ブロックの上下の放熱面の他方の上に位置し、該他方の放熱面に対して上記第一の設置基準面とは反対方向に傾斜した第二の設置基準面を有する、第一のスペーサ部とは逆方向の楔状をなす第二のスペーサ部；
を備え、
該第一、第二のスペーサ部は、第一、第二の設置基準面を空間形成面に当接させた状態において流路ブロックの貫通空気孔に対する空気流を確保することを特徴とするラジエータ。
【請求項２】
請求項１記載のラジエータにおいて、上記第一のスペーサ部の第一の設置基準面と、第二のスペーサ部の第二の設置基準面とは平行をなしているラジエータ。
【請求項３】
請求項１または２記載のラジエータにおいて、上記第一、第二のスペーサ部は放熱フィンからなっているラジエータ。
【請求項４】
請求項１ないし３のいずれか１項記載のラジエータにおいて、上記流路ブロックと第一、第二のスペーサ部とは別の部材から構成されているラジエータ。
【請求項５】
請求項１ないし４のいずれか１項記載のラジエータにおいて、上記流路ブロックは、互いに対向する面に連続した流路凹溝を有する第一、第二の凹溝板と、この第一、第二の凹溝板の間にあって、各流路凹溝に隙間を持って嵌まり冷却液流路を形成する凸条を有する中間板とを備えているラジエータ。
【請求項６】
請求項１ないし３のいずれか１項記載のラジエータにおいて、上記第一、第二のスペーサ部は、第一、第二の凹溝板と一体に形成されているラジエータ。
【発明の詳細な説明】
【技術分野】
【０００１】
本発明は、通過する液体を冷却するラジエータに関する。
【背景技術】
【０００２】
例えば発熱するＣＰＵ（熱源）の冷却システムは、ＣＰＵに当接して熱を奪うヒートシンクと、ラジエータと、このヒートシンクとラジエータの間で冷却液を循環させる液体ポンプとを基本構成要素としており、各要素について、ノートＰＣのような小型な機器に搭載可能なように、小型化と高信頼性が図られている。
【特許文献１】特開平１１-３０７７０３号公報
【特許文献２】特開２００５-３８１１２号公報
【特許文献３】特許第３７２７６４７号公報
【特許文献４】特開２００６-３２６２９号公報
【発明の開示】
【発明が解決しようとする課題】
【０００３】
しかし、従来知られているラジエータは、ノートＰＣのような小型薄型の機器に搭載することが困難であり、あるいは十分な放熱性を期待することができなかった。
【０００４】
本発明は、狭い平行空間に収納可能な小型薄型で、放熱性がよいラジエータを得ることを目的とする。
【課題を解決するための手段】
【０００５】
本発明のラジエータは、平面状に展開された冷却液流路と、該冷却液流路の展開平面と平行な上下の放熱面と、上記冷却液流路を避け上記上下の放熱面に貫通させて形成した貫通空気孔とを有する流路ブロック；流路ブロックの上下の放熱面の一方の上に位置し、該一方の放熱面に対して傾斜した（との距離を徐々に変化させる）第一の設置基準面を有する、楔状をなす第一のスペーサ部；及び流路ブロックの上下の放熱面の他方の上に位置し、該他方の放熱面に対して上記第一の設置基準面とは反対方向に傾斜した第二の設置基準面を有する、第一のスペーサ部とは逆方向の楔状をなす第二のスペーサ部；を備え、該第一、第二のスペーサ部は、第一、第二の設置基準面を空間形成面に当接させた状態において流路ブロックの貫通空気孔に対する空気流を確保することを特徴としている。
【０００６】
第一、第二のスペーサ部の楔状形状は、本ラジエータの設置空間の形状に応じて変化させることができる。最も一般的には、設置空間を平行空間とし、第一、第二の設置基準面とを互いに平行に形成する。
【０００７】
第一、第二のスペーサ部は一定間隔で設置した放熱フィンから構成することが好ましい。
【０００８】
流路ブロックと第一、第二のスペーサ部とは別の部材から構成しても、同一の部材から構成することもできる。
【０００９】
流路ブロックは、その好ましい一態様によれば、互いに対向する面に連続した流路凹溝を有する第一、第二の凹溝板と、この第一、第二の凹溝板の間にあって、各流路凹溝に隙間を持って嵌まり、冷却液流路を形成する凸条を有する中間板とによって構成することができる。この態様では、第一、第二の凹溝板と一体に第一、第二のスペーサ部を形成することで、部品点数を減らすことができる。
【発明の効果】
【００１０】
本発明のラジエータは、第一、第二のスペーサ部の設置基準面を設置空間の空間形成面に当接させることで、必ず、流路ブロックの貫通空気孔を通り、一対の放熱面に沿って流れる冷却空気流を形成することができる。従って、狭い設置空間に設置しても放熱性に優れたラジエータを得ることができる。
【発明を実施するための最良の形態】
【００１１】
図８は、発熱源として例示するＣＰＵ１０の水冷システムの概念図である。ＣＰＵ１０は、伝熱性ヒートシンク１１に接触しており、液体ポンプ１２から伝熱性ヒートシンク１１に供給される冷却液は、伝熱性ヒートシンク１１内の流路を流れてＣＰＵ１０から熱を奪う。伝熱性ヒートシンク１１で昇温した冷却液は、ラジエータ２０内の冷却液流路２１を流れて冷却され、再び液体ポンプ１２に戻り、以下この循環を繰り返す。
【００１２】
図１ないし図７は、本発明によるラジエータ２０の一実施形態を示している。ラジエータ２０は、伝熱性に優れた金属材料（例えば銅）からなる流路ブロック２２を有している。流路ブロック２２は、積層結合される上側凹溝板（第一凹溝板）２３、中間板２４及び下側凹溝板（第二の凹溝板）２５からなっている。上側凹溝板２３と下側凹溝板２５はそれぞれ、中間板２４側の面に、連続折返凹溝２１ａを有し、中間板２４の表裏には、これらの連続折返凹溝２１ａ内に隙間を持って嵌まり、冷却液流路２１を構成する連続折返凸条２１ｂが構成されている。
【００１３】
下側凹溝板２５には、入口ポート２６と出口ポート２７が設けられており、入口ポート２６は、下側凹溝板２５に形成した迂回路２６ａと中間板２４に穿設した迂回孔２４ａ（図１、図４、図７）を介して、上側凹溝板２３の連続折返凹溝２１ａと中間板２４の上側連続折返凸条２１ｂとで形成される上側冷却液流路２１に入る。中間板２４には、上側冷却液流路２１（凹溝２１ａ）の終点部に位置させて迂回孔２４ｂ（図１、図３、図７）が形成されており、上側冷却液流路２１の終点部に至った冷却液は迂回孔２４ｂを通って、下側凹溝板２５の連続折返凹溝２１ａと中間板２４の下側連続折返凸条２１ｂとで形成される下側冷却液流路２１に入る。下側冷却液流路２１の終点は、迂回路２７ａを介して出口ポート２７に連通している。
【００１４】
中間板２４の表裏の凸条２１ｂの平面形状は同一であり、上下の凹溝板２３と２５の連続折返凹溝２１ａの平面形状は、入口ポート２６と出口ポート２７との接続部形状を除き同一である。
【００１５】
このように、流路ブロック２２には、平面状に二段に展開された冷却液流路２１が形成されており、その上下面に、冷却液流路２１の展開平面と平行な上側放熱面２３ａと下側放熱面２５ａが形成されている。また、流路ブロック２２には、冷却液流路２１の間に位置させて、上側放熱面２３ａと下側放熱面２５ａに貫通する貫通空気孔２８が形成されている。
【００１６】
流路ブロック２２の上側放熱面２３ａと下側放熱面２５ａ上にはそれぞれ、逆方向の楔状をなす上側スペーサ部（放熱フィン）２３ｂと下側スペーサ部（放熱フィン）２５ｂが形成されている。この実施形態では、上側スペーサ部２３ｂ、下側スペーサ部２５ｂはそれぞれ、上側凹溝板２３、下側凹溝板２５と一体に形成されている。上側スペーサ部２３ｂは、上側放熱面２３ａとの距離を徐々に変化させる（上側放熱面２３ａに対して傾斜した）上側設置基準面（第一の設置基準面）２３ｃを有する楔状をなしており、適当な間隔をおいて複数が上側放熱面２３ａ上に位置している。下側スペーサ部２５ｂは、下側放熱面２５ａとの距離を徐々に変化させる（下側放熱面２５ａに対して傾斜した）下側設置基準面（第二の設置基準面）２５ｃを有する楔状をなしており、適当な間隔をおいて複数が下側放熱面２５ａ上に位置している。上側スペーサ部２３ｂと下側スペーサ部２５ｂの楔の形状は互いに反対方向を向いており、上側設置基準面２３ｃと下側設置基準面２５ｃは平行をなしている。
【００１７】
以上の流路ブロック２２は、図６に示すように、上側設置基準面２３ｃと下側設置基準面２５ｃを、平行な空気流路を構成する空間形成面（閉塞面）３０、３１に当接させると、必ず上側放熱面２３ａと下側放熱面２５ａ（冷却液流路２１の展開平面）が、空間形成面３０、３１に当接することなく該空気流路に対して傾斜した状態で位置し、貫通空気孔２８を通る冷却空気流路を確保することができる。入口ポート２６と出口ポート２７は、図８のヒートシンク１１と液体ポンプ１２との間に接続される。
【００１８】
いま、空間形成面３０と３１の間を通り図６の左方から流路ブロック２２に対して進入する冷却風を想定すると、冷却風は流路ブロック２２の下側放熱面２５ａに沿って流れた後、貫通空気孔２８を通って流路ブロック２２の上側に達し、次いで上側放熱面２３ａに沿って流れるため流路ブロック２２内の冷却液流路２１を流れる冷却液を効率的に冷却することができる。空気流路に対する上下の放熱面２３ａ、２５ａと上下の設置基準面２３ｃ、２５ｃの傾斜角度は、上下のスペーサ部２３ｂ、２５ｂの楔角を変化させることで変化させることができる。
【００１９】
以上の実施形態では、上側スペーサ部２３ｂと下側スペーサ部２５ｂを流路ブロック２２の構成要素である上側凹溝板２３と下側凹溝板２５に一体に設けたが、これらを別部材として設け、後に結合してもよい。また、上側スペーサ部２３ｂと下側スペーサ部２５ｂ（放熱フィン）の間隔は、放熱性を考慮して適当に定めることができる。
【００２０】
また、図示実施形態の流路ブロック２２の流路構造は、薄型でありながら長い流路を確保するために好ましい形態であるが、本発明はこの流路構造に限定されない。流路が二段に構成されているが、設置スペースによって一段でもよい。
【図面の簡単な説明】
【００２１】
【図１】本発明のラジエータ一実施形態を示す平面図である。
【図２】図１の正面図である。
【図３】図１のIII-III線に沿う断面図である。
【図４】図１のIV-IV線に沿う断面図である。
【図５】図１のV-V線に沿う断面図である。
【図６】図１ないし図５のラジエータを空気流路に設置した状態を示す、図５と同様の断面図である。
【図７】本発明のラジエータ一実施形態を示す分解斜視図である。
【図８】ラジエータを含む冷却システムの概念図である。
【符号の説明】
【００２２】
２０  ラジエータ
２１  冷却液流路
２１ａ  連続折返凹溝
２１ｂ  連続折返凸条
２２  流路ブロック
２３  上側凹溝板（第一の凹溝板）
２３ａ  上側放熱面（第一の放熱面）
２３ｂ  上側スペーサ部（第一のスペーサ部、放熱フィン）
２３ｃ  上側設置基準面（第一の設置基準面）
２４  中間板
２５  下側凹溝板（第二の凹溝板）
２５ａ  下側放熱面（第二の放熱面）
２５ｂ  下側スペーサ部（第二のスペーサ部、放熱フィン）
２５ｃ  下側設置基準面（第二の設置基準面）
２８  貫通空気孔
３０  ３１  空間形成面
【図１】
2008051401.tif 000003
【図２】
2008051401.tif 000004
【図３】
2008051401.tif 000005
【図４】
2008051401.tif 000006
【図５】
2008051401.tif 000007
【図６】
2008051401.tif 000008
【図７】
2008051401.tif 000009
【図８】
2008051401.tif 000010